(57)【特許請求の範囲】
【請求項１】
無端状に連結された複数の踏段と、前記踏段とともに同方向に走行する手摺ベルトと、前記手摺ベルトを支える欄干と、前記踏段の両側において前記手摺ベルトに沿って配置されたスカートガードパネルと、前記スカートガードパネルに沿って前記踏段側を照明するように配置された照明装置とを備え、
前記照明装置は、前記スカートガードパネルに沿って直列に配列されたほぼ同一長の複数個の主棒状光源と、前記直列に配列した複数個の主棒状光源間の継ぎ目に生じた前記主棒状光源よりも短い長さの無灯部分を形成する間隙を跨いで、前記間隙の両側に位置する前記主棒状光源に両端部が重なり合うように配置された前記主棒状光源とほぼ同一長の副棒状光源と、を含み、前記主棒状光源および前記副棒状光源が、直線状に配列された複数個のＬＥＤ発光素子により構成されていることを特徴とする乗客コンベアの照明装置。
【請求項２】
前記副棒状光源は、この副棒状光源から発せられた光の拡散を防ぎ、前記踏段側に向けるためのカバーを備えたことを特徴とする、請求項１に記載の乗客コンベアの照明装置。
【請求項３】
前記副棒状光源は、前記主棒状光源との発光方向における距離を調整可能に設置されていることを特徴とする請求項２に記載の乗客コンベアの照明装置。
【請求項４】
前記副棒状光源は、前記主棒状光源の明るさとは異なる明るさを有することを特徴とする請求項１に記載の乗客コンベアの照明装置。
【請求項５】
前記主棒状光源および前記副棒状光源は、基板上に直線的に配列された複数個のＬＥＤ素子と、これらのＬＥＤ素子を覆う断面がほぼ半円形の棒状の透明樹脂と、を含むＬＥＤ光源ユニットを有することを特徴とする請求項１に記載の乗客コンベアの照明装置。
【請求項６】
前記主棒状光源および前記副棒状光源は、基板上に直線的に配列された複数個のＬＥＤ素子と、これらのＬＥＤ素子を覆う断面がほぼ半円形の棒状の透明樹脂と、を含む複数個の前記ＬＥＤ光源ユニットを直線上に配列してなることを特徴とする請求項１に記載の乗客コンベアの照明装置。
【発明の詳細な説明】
【技術分野】
【０００１】
本発明は、乗客コンベアに使用する照明装置に関するものである。
【背景技術】
【０００２】
エスカレーターの欄干照明やスカートガード照明などの連続した照明装置には、光源として一般的に蛍光灯が使用される。蛍光灯を使用する場合、固定及び電力供給のためのソケットを蛍光灯端部に取り付ける必要があることから、隣接して連続的に配置した場合でもソケット部分が暗部となるため、全体として連続した照明にはならなかった。この問題に関しては、例えば特開昭62-198004(特許文献１)のように口金を蛍光灯の長手方向に対して直角方向に向けて配置した蛍光灯を使用する方法が提案されている。
【０００３】
また、エスカレーターは据付先の建築物の階高に合わせて製造されるため、任意の高さに全長を調整する必要がある。調整はエスカレーターの中間傾斜部の長さを変更することで実施する。その際、中間傾斜部における照明の全長も任意の長さに調整できる必要がある。
【先行技術文献】
【特許文献】
【０００４】
【特許文献１】特開昭62-198004
【発明の概要】
【発明が解決しようとする課題】
【０００５】
上記特許文献１に開示される方法は専用の特殊蛍光灯を開発しなければならない。また、エスカレー ター全長に無灯部分がなく照明装置を配置するためには、一般的な蛍光灯の規格長では対応できな いため、多くの種類の特殊な長さの蛍光灯を生産・管理する手間が発生する。
【０００６】
本発明は上記のような問題点を解決することを課題としたもので、照明間の継ぎ目の無灯部分をなくし、さらに階高調整分の構成を最小限の用品で構成可能とした照明装置を提供する。
【課題を解決するための手段】
【０００７】
本発明の乗客コンベアの照明装置は、無端状に連結された複数の踏段と、前記踏段とともに同方向に走行する手摺ベルトと、前記手摺ベルトを支える欄干と、前記踏段の両側において前記手摺ベルトに沿って配置されたスカートガードパネルと、前記スカートガードパネルに沿って前記踏段側を照明するように配置された照明装置とを備え、前記照明装置は、前記スカートガードパネルに沿って直列に配列されたほぼ同一長の複数個の主棒状光源と、前記直列に配列した複数個の主棒状光源間の継ぎ目に生じた前記主棒状光源よりも短い長さの無灯部分を形成する間隙を跨いで、前記間隙の両側に位置する前記主棒状光源に両端部が重なり合うように配置された前記主棒状光源とほぼ同一長の副棒状光源と、を含み、前記主棒状光源および前記副棒状光源が、直線状に配列された複数個のＬＥＤ発光素子により構成されていることを特徴とするものである。
【発明の効果】
【０００８】
本発明の照明装置を用いることで、エスカレー ターの全長に亘って無灯部分がなく連続的に見える照明が得られる。また、階高調整部の照明を最小の用品で構成することで、部品管理点数の大幅な削減が可能である。
【図面の簡単な説明】
【０００９】
【図１】本発明が適用されるエスカレーター本体の一部の構成を示す概略側面図である。
【図２】本発明の実施形態に用いられる主棒状光源９の構造を示す概略斜視図である。
【図３】本発明の実施形態に用いられるＬＥＤ光源ユニット２２の構成を示す概略斜視図である。
【図４】本発明の実施形態である照明装置の要部を示す概略構成図で、同図（Ａ）は側面図、（Ｂ）は正面図、（Ｃ）は図（Ｂ）のｘ−ｘ´断面図である。
【図５】同じく、本発明の実施形態である照明装置の要部を示す概略構成図で、同図（Ａ）は側面図、（Ｂ）は正面図、（Ｃ）は図（Ｂ）のｘ−ｘ´断面図である。
【図６】本発明の他の実施形態である照明装置の要部を示す概略斜視図である。
【図７】本発明のさらに他の実施形態である照明装置の要部を示す概略側面図である。
【発明を実施するための形態】
【００１０】
本発明の第１の実施形態を、図面を用いて詳細に説明する。
【００１１】
図１は本発明による照明装置が適用されるエスカレーターの一部を示す側面図である。図示のように、エスカレーター本体１は通常、大きく分けて上階部２および下階部（図示せず）と、これらを連結する中間傾斜部３とから構成されている。エスカレーター１は無端状に連結された複数の踏段（図示せず）と、これらの踏段とともに同方向に走行する手摺ベルト４と、この手摺ベルト４を支える欄干５を備えている。エスカレーター１は、さらに、前記踏段の両側において前記欄干５、手摺ベルト４に沿って配置された内側板６と、この内側板６下部に前記手摺ベルト４に沿って配置されたスカートガードパネル７と、このスカートガードパネル７に沿って前記踏段側を照明するように配置された照明装置８とを備えている。
【００１２】
照明装置８は、スカートガードパネル７の内側に前記手摺ベルト４に沿って配置された複数個の主棒状光源９により構成されている。スカートガードパネル７にはこれらの複数個の主棒状光源９配列に沿って乳白色のアクリル板からなる透光性窓１０が設けられている。照明装置８はこの透光性窓１０を介してエスカレーター本体１の踏段（図示せず）を照明する。
【００１３】
図２は、上記主棒状光源９の構造を示す概略斜視図である。長さ約１ｍのＬ字型の保持具２１に、複数個例えば、６個のＬＥＤ光源ユニット２２が長手方向に直線状に配列支持されている。
【００１４】
図３はＬＥＤ光源ユニット２２の構成を示す概略斜視図である。ＬＥＤ光源ユニット２２は、長さ約１５ｃｍの長方形の絶縁基板２３上に、複数個、例えば８個のＬＥＤ発光素子２４が長手方向に直線状に配列設置されている。これらのＬＥＤ発光素子２４は、透明樹脂２５により気密に封止されている。透明樹脂２５はその横断面が凸状の棒状に形成され、ＬＥＤ発光素子２４配列から発生した光を絶縁基板２３に対して垂直方向に平行光線として射出する、いわゆる、かまぼこレンズを形成している。絶縁基板２３の長手方向両端には、一対のソケット付給電線２６，２６が設けられている。一対のソケット付給電線２６間には複数個のＬＥＤ発光素子２４が接続され発光電源が供給される。また、図２に示すように隣接するＬＥＤ光源ユニット２２はソケット付給電線２６のソケットにより相互に接続される。ここで、図２に示す複数個のＬＥＤ発光素子２４の配置間隔（継ぎ目）は、隣接するＬＥＤ光源ユニット２２間の間隙が、無灯部を形成しないような間隙に設定されている。この間隙は、図３に示すＬＥＤ発光素子２４の配置により調整可能である。すなわち、絶縁基板２３上に複数個のＬＥＤ発光素子２４を設置するに際して、ＬＥＤ発光素子２４相互の間隔及び絶縁基板２３の長手方向端部からの設置位置を調整することにより可能である。
【００１５】
このように構成された複数個の主棒状光源９は、図１に示すように、エスカレーター本体１の上階部２および下階部の端部から中間傾斜部３側に向かって相互に接触するようにあるいは隣接する主棒状光源９間に無灯部分が生じないような間隙を持って順次配置される。この場合、エスカレーター１の上階部２の端部および下階部の端部間の距離が、主棒状光源９の長さのほぼ整数倍である場合には図１に示す間隙Ａは図４に示すように実質的にゼロとなる。すなわち、エスカレーター本体１の上階部２および下階部からそれぞれ中間傾斜部３側に向かって配列された主棒状光源配列１１、１２のうちの先端部における一対の主棒状光源９、９は、その先端部が互いに接触するように配置される。なおこの場合、一対の主棒状光源９、９の発光部端部間の間隙Ｂは、無灯部を形成しない間隙である。なお、この間隙Ｂは主光源配列１１、１２内のいずれかの隣接する主棒状光源９、９間においても同様に、照明装置全体による照明光が連続して見える範囲であれば必ずしも一定の値である必要はなく変動しても良い。
【００１６】
このように、同一長の複数個の主棒状光源９をエスカレーター本体１の上階部２の端部および下階部の端部間に配列する場合、一般的にエスカレーター本体１の上階部２の端部および下階部の端部間の距離が、主棒状光源９の長さのほぼ整数倍である場合は少ない。従って、エスカレーター本体１の上階部２および下階部の端部からそれぞれ中間傾斜部３側に向かう主棒状光源９配列の先端部間には、１本の主棒状光源９の長さ未満の間隙ではあるが無灯部分を生ずるような間隙Ａが生ずる。換言すれば、照明装置８の長さ調整は基本的に主棒状光源９の長さ単位での増減しかできないため、主棒状光源９の配置で埋めきれない隙間が発生し、そこに無灯部分Ａが発生することになる。
【００１７】
この場合には、図５に示すように、主棒状光源配列の先端部における一対の主棒状光源９、９が形成する間隙Ａを跨いで副棒状光源１３が配置される。この副棒状光源１３は主棒状光源９と同じ寸法でかつ同じ構成のＬＥＤ光源であり、間隙Ａの両側の一対の主棒状光源９、９に両端部が重なり合うように配置される。また、この副棒状光源１３は、エスカレーターの踏段（図示せず。）を主光源配列１１、１２の背後から照明するように配置される。
【００１８】
このように配置された副棒状光源１３から発せられた光のうち、無灯部分Ａ側から見て主棒状光源９と重複しない分については無灯部分Ａを照らす照明となる。主光源配列１１、１２に用いる主棒状光源９の数と、主棒状光源９および副棒状光源１３との重複距離を変更することでどのような必要照明長さにも対応することが可能となる。かかる副棒状光源１３の配置によって、照明装置８全体としてみた場合、連続的な明るさを得ることができる。
【００１９】
図６は無灯部分Ａに配置された副棒状光源１３の構造を示す概略斜視図である。
【００２０】
上記のように、主光源配列１１、１２の先端部に配置される一対の主棒状光源９、９に対して、それらの背後に副棒状光源１３を配置し、光の進行方向に対して前後２列の光源を用いることで、照明対象の踏段（図示せず。）から各光源９、１３までの距離は異なるものになる。そのため、前後の光源の明るさに差が発生し、照度むらによる違和感の原因となることが考えられる。この問題に対しては、後列の副棒状光源１３から発せられ、拡散する光を、前列の主棒状光源９、９まで誘導するカバー３１を設ける。このカバー３１は断面がコ字型のステンレスなどの金属素材を用い、その内面を光反射率の高い鏡面仕上げするか、または内面に光反射率の高くなる塗装を施すことが望ましい。このような断面がコ字型のカバー３１の長手方向の両端において、一対の主棒状光源９、９のＬ字型の保持具２１の端部をネジ止めなどにより固定する。
【００２１】
副棒状光源１３にこのようなカバー３１を設けることにより、後列の副棒状光源１３から発せられた光を外部に拡散することなく、前方へと誘導することができる。また、このような構成の照明装置においては、一対の主棒状光源９、９のＬ字型保持具２１の副棒状光源１３のカバー３１へのネジ止めなどによる固定位置を調整することにより、前列の主棒状光源９、９の後列の副棒状光源１３に対する距離を調整することにより、光の進行方向に対する光りの強度を調整することもできる。なお、エスカレーター据付時に現地で調整を行いたい場合、後列取り付け用ステーに長穴を設ける等して前列と後列の距離をある程度変動できる構造にしておくことも可能である。
【００２２】
また、前後列の照度差解消についての別の方法として、前列に用いる主棒状光源と後列に用いる副棒状光源の明るさを異なる状態に設定する方法も考えられる。すなわち、図７に示すように後列に配置される方を前列に配置される方より明るく設定しておくことで、距離の差による明るさ損失分を埋めることが可能となる。この明るさの調整も、エスカレーター据付時に現地で調整を行いたい場合、前列または後列の明るさを現地で調整可能な構成にしておく方法も考えられる。
【００２３】
上記の実施形態に置いては、エスカレーターの踏段（図示せず。）位置に対して主棒状光源９、９を前列側に、副棒状光源１３を後列側に配置した場合について説明したが、主棒状光源９、９と副棒状光源１３については、前後を入れ替えて構成してもよい。すなわち、前列に調整用の副棒状光源１３を、後列に主棒状光源９、９を配置するような構成も可能である。この場合、重複の前後関係が変わるだけで機能としては同じとなる。
【００２４】
また、以上の実施形態においては、１台のエスカレーター内に無灯部分Ａが１箇所存在する場合について説明した。しかし、一般に、エスカレーターは建物への搬入の都合から複数の部分に分割されるが、それにより照明装置も分割され、無灯部分Ａが１台のエスカレーター内に複数箇所存在することがある。このような場合でも本発明は同様に適用可能である。
【００２５】
また、照明装置８は踏段（図示せず。）両側のスカートガードパネル７内に設けたが、いずれか一方のスカートガードパネル７内に設けても良いことはいうまでもない。
【符号の説明】
【００２６】
１  エスカレーター本体
２  上階部照明装置
３  中間傾斜部
４  手摺ベルト
５  欄干
６  内側板
７  スカートガードパネル
８  照明装置
９  主棒状光源
１０  透光性窓
１１、１２  主棒状光源配列
１３  副棒状光源
２１  Ｌ字型の保持具
２２  ＬＥＤ光源ユニット
２３  絶縁基板
２４  ＬＥＤ発光素子
２５  透明樹脂
２６  ソケット付給電線
Ａ  無灯部分
Ｂ  棒状光源配置間隙
【図１】
0005770003.tif 000002
【図２】
0005770003.tif 000003
【図３】
0005770003.tif 000004
【図４】
0005770003.tif 000005
【図５】
0005770003.tif 000006
【図６】
0005770003.tif 000007
【図７】
0005770003.tif 000008